(57)【要約】【課題】紙箱の側壁内面に露出する、側壁接合用のコ字状針の先端折曲げ部を隠す中敷の箱からの脱出を防止する。【解決手段】箱本体１の対向する２つの側壁13、13の内面には、隣り合う両側壁12、12の端部から延長した繋ぎ用フラップ14が重なり、中敷２は、箱本体１の底壁11に重なる中敷本体部21から、前記対向する２つの側壁13、13に重なる２つの立上り片22、22を延長し、中敷本体部21と立上り片22、22の境界の中央部にて、中敷本体部21から側壁13、13に当接する短い掛り片23が側方へ延びている。中敷２は１枚の矩形のシートに展開でき、 中敷２を箱本体１にセットした状態で、両掛り片23、23の先端縁は箱本体１の側壁13、13に当接して前記繋ぎ用フラップ14の下端縁と側壁13とによって生じる凹み段差10に嵌まっている。【選択図】図２
0003141887.tif 000002
【実用新案登録請求の範囲】
【請求項１】
矩形の底壁(11)と４つの側壁(12)(12)(13)(13)を有し上面が開口した箱本体(１)と、該箱本体に被さる蓋体(３)と、箱本体(１)内に敷く中敷(２)とによって形成される箱において、
箱本体(１)の対向する２つの側壁(13)(13)の内面には、隣り合う両側壁(12)(12)の端部から延長した繋ぎ用フラップ(14)が重なり、
中敷(２)は、箱本体(１)の底壁(11)に重なる中敷本体部(21)から、前記対向する２つの側壁(13)(13)に重なる２つの立上り片(22)(22)を延長し、中敷本体部(21)と立上り片(22)(22)の境界の中央部にて、短い掛り片(23)を側方へ延ばし、該掛り片(23)の形状に対応して中敷(２)の下端はくり抜き部(25)を有しており、
中敷本体部(21)と立上り片(22)の下端両側の境界には断続的な切込み(24)を施しており、
中敷(２)は１枚の矩形のシートに展開でき、
中敷(２)を箱本体(１)にセットした状態で、両掛り片(23)(23)の先端縁は前記繋ぎ用フラップ(14)の下端縁と側壁(13)とによって生じる凹み段差(10)に嵌まっていることを特徴とする箱。
【請求項２】
両掛り片(23)(23)の先端縁は箱本体(１)の側壁(13)(13)に突っ張る様に当接している、請求項１に記載の箱。
【請求項３】
側壁(13)と繋ぎ用フラップ(14)は、両者を側壁(13)の外側から貫通したコ字状針(４)の両端を該繋ぎ用フラップ(14)上で折り曲げて接合されている、請求項１又は２に記載の箱。
【請求項４】
展開状態の中敷(２)を、箱本体(１)の開口の上方に位置させて、中敷(２)を箱本体(１)内へ押し込み、この際に立上り片(22)(22)を箱本体(１)の側壁(13)(13)上の繋ぎ用フラップ(14)(14)に当てて、中敷本体部(21)と立上り片(22)(22)の境界で折り曲げて中敷(２)を箱本体(１)にセットした、請求項１乃至３の何れかに記載の箱。
【請求項５】
箱本体(１)、蓋体(３)及び中敷(２)は紙製である、請求項１乃至４の何れかに記載の箱。
【考案の詳細な説明】
【技術分野】
【０００１】
本考案は、箱本体と蓋体と、箱本体に敷いた中敷とからなる、箱に関する。
【背景技術】
【０００２】
ボールベアリングの鋼球を、鋼球製造メーカからベアリング製造メーカに納品するのに使用される箱は、紙箱であり、一定量の鋼球を合成樹脂フィルム製の袋に詰めたものを、箱に収容している。
【０００３】
上記紙箱は、矩形の箱本体と蓋体からなり、箱本体の４つの側壁の内、対向する２つの側壁の内面には、隣り合う側壁の端部から延長した繋ぎ用フラップが重なり、両者は側壁の外側から貫通したコ字状針(ステイプラー針)の両端をフラップ上で折り曲げて接合されている。
【０００４】
上記の箱は、フラップと側壁を接続するためのコ字状針の折曲げ部が、ビニール袋に接触して該袋を破ってボールを傷つける虞れがある。
【０００５】
そこで箱本体に中敷をセットすることが行われる。中敷きは箱底に被さる中敷本体の両端から、対向する２つの側壁内面に被さる立ち上がり片を延長して形成されている。
前記コ状針の折曲げ部は、中敷の立上り片に隠れるため、前記問題は解消される。
【考案の開示】
【考案が解決しようとする課題】
【０００６】
ところが、上記の中敷は、矩形の紙板をコ字状に屈曲して形成し、中央部を中敷本体、両端を立上り片としているため、箱からボールを取り出す際に、中敷が箱から脱出して不都合を生じる。
本考案は、中敷の脱出を防止できる、箱を明らかにするものである。
【課題を解決するための手段】
【０００７】
請求項１は、矩形の底壁(11)と４つの側壁(12)(12)(13)(13)を有し上面が開口した箱本体(１)と、該箱本体に被さる蓋体(３)と、箱本体(１)内に敷く中敷(２)とによって形成される箱において、
箱本体(１)の対向する２つの側壁(13)(13)の内面には、隣り合う両側壁(12)(12)の端部から延長した繋ぎ用フラップ(14)が重なり、
中敷(２)は、箱本体(１)の底壁(11)に重なる中敷本体部(21)から、前記対向する２つの側壁(13)(13)に重なる２つの立上り片(22)(22)を延長し、中敷本体部(21)と立上り片(22)(22)の境界の中央部にて、中敷本体部(21)から短い掛り片(23)を側方へ延ばし、該掛り片(23)の形状に対応して中敷(２)の下端はくり抜き部(25)を有しており、
中敷本体部(21)と立上り片(22)の下端両側の境界には断続的な切込み(24)を施しており、
中敷(２)は１枚の矩形のシートに展開でき、
中敷(２)を箱本体(１)にセットした状態で、両掛り片(23)(23)の先端縁は前記繋ぎ用フラップ(14)の下端縁と側壁(13)とによって生じる凹み段差(10)に嵌まっている。
【０００８】
請求項２は請求項１の箱において、両掛り片(23)(23)の先端縁は箱本体(１)の側壁(13)(13)に突っ張る様に当接している。
【０００９】
請求項３は請求項１又は２の箱において、側壁(13)と繋ぎ用フラップ(14)は、両者を側壁(13)の外側から貫通したコ字状針(４)の両端を該繋ぎ用フラップ(14)上で折り曲げて接合されている。
【００１０】
請求項４は請求項１乃至３の箱において、展開状態の中敷(２)を、箱本体(１)の開口の上方に位置させて、中敷(２)を箱内へ押し込み、この際に立上り片(22)(22)を箱本体(１)の側壁(13)(13)上の繋ぎ用フラップ(14)(14)に当てて、中敷本体部(21)と立上り片(22)(22)の境界で折り曲げて中敷(２)を箱本体(１)にセットされている。
【００１１】
請求項５は請求項１乃至４の箱において、箱本体(１)、蓋体(３)及び中敷(２)は紙製である。
【考案の効果】
【００１２】
請求項１の箱は、中敷(２)両端の立上り片(22)(22)が、箱本体(１)の対向する２つの側壁(13)(13)と繋ぎ用フラップ(14)(14)に被さっているから、側壁(13)と繋ぎ用フラップ(14)を両者を貫通させたコ字状針(４)の両端を折り曲げて接続しても、前記中敷(２)の立上り片(22)が、コ字状針(４)の折曲げ部(41)(41)を覆うから、箱内の商品をコ字状針(４)の折曲げ部(41)(41)で傷付ける虞れはない。
箱から商品を取り出す際に、箱本体(１)を逆さにしても、中敷(２)の掛り片(23)(23)が側壁(13)(13)内面に重なっている繋ぎ用フラップ(14)(14)に引っ掛かって、中敷(２)の脱出は防止される。
従って、箱本体(１)から中敷(２)が脱出することによる不都合は解消される。
【００１３】
請求項２の箱は、中敷(２)の両掛り片(23)(23)が箱本体(１)の対向する側壁(13)(13)を突っ張る様に当接しているから、中敷(２)が箱本体(１)内でガタつくことはなく、安定して納まる。
又、中敷(２)の突っ張りだけでも中敷(２)の脱出防止の効果があり、請求項１の中敷脱出防止効果に加えて、２重の脱出防止効果を奏する。
【００１４】
請求項３の箱の効果は、請求項１の効果で説明済みである。
【００１５】
請求項４の箱は、中敷本体部(21)と立上り片(22)の下端両側の境界には断続的な切込み(24)を施しているから、展開状態の中敷(２)を、箱本体(１)の開口の上方に位置させて、中敷(２)を箱内へ押し込むだけで、中敷(２)は、中敷本体部(21)と立上り片(22)の下端両側の境界で容易に折れ曲がり、箱本体(１)に中敷(２)を簡単にセットできる。
【００１６】
請求項５の紙製の箱は、軽量で安価に製造できる。
【考案を実施するための最良の形態】
【００１７】
図１は本考案の箱の一例を示している。
箱は、上面開口の直方体の箱本体(１)と、下面開口の直方体の蓋体(３)と、箱本体(１)内に敷く中敷(２)とによって形成され、何れも厚み約１mmの紙製である。
【００１８】
図３に示す如く、箱本体(１)の４つの側壁(12)(12)(13)(13)の内、短辺上に位置して対向する２つの側壁(13)(13)の内面には、隣り合う両側壁(12)(12)の端部から延長した繋ぎ用フラップ(14)が重なっている。
繋ぎ用フラップ(14)は、上端縁と下端縁が、繋ぎ用フラップ(14)の先端側の幅が狭まる様に傾斜しており、繋ぎ用フラップ(14)の下端縁(14a)と側壁(13)によって、繋ぎ用フラップ(14)の厚み分の凹み段差(10)が生じている。
【００１９】
側壁(13)と繋ぎ用フラップ(14)は、両者を側壁(13)の外側から貫通したコ字状針(４)の両端を該繋ぎ用フラップ(14)上で互いに内向きに折り曲げて接合されている。
コ字状針(４)は、側壁(13)の両端に接近して位置している。
【００２０】
中敷(２)は、箱本体(１)の底壁(11)に重なる中敷本体部(21)から、前記対向する２つの側壁(13)(13)の内面に重なる２つの立上り片(22)(22)を延長して形成されている。
中敷本体部(21)の全長、幅長さは、底壁(11)の全長、幅長さより夫々４mm程度小さい。
中敷(２)の側壁(13)の高さは、箱本体(１)の側壁(13)の高さより４mm程度低い。
【００２１】
中敷本体部(21)と立上り片(22)(22)の境界の中央部にて、中敷本体部(21)から側壁(13)(13)に当接する短い掛り片(23)が側方へ延びており、該掛り片(23)の形状に対応して中敷(２)の下端はくり抜き部(25)が形成されている。
両掛り片(23)(23)間の長さＬ1は、箱本体(１)の側壁(13)(13)の内面間の長さＬ2より１mm程度長い。
掛り片(23)の突出長さは３〜５mm、突出幅は３０〜５０mmとすることが、後記の如く、箱本体(１)への中敷(２)の嵌込み、掛り片(23)の繋ぎ用フラップ(14)に対する引っ掛かりが良好となり、望ましい。
実施例の掛り片(23)の突出長さは約４mm、突出幅は約４０mmである。
【００２２】
中敷本体部(21)と立上り片(22)の下端両側の境界は断続的な切込み(24)が施されている。
中敷(２)の両端の掛り片(23)(23)を中敷本体部(21)と同一平面に揃う様に倒すと、くり抜き部(25)(25)に掛り片(23)(23)が緊密に嵌まり込んで、隙間のない１枚の矩形のシートに展開できる。
【００２３】
箱本体(１)に中敷(２)をセットするには、図３に示す如く、上記した展開状態の中敷(２)を箱本体(１)の上方に、互いの中心をほぼ一致させ、箱本体(１)の側壁(13)(13)と、中敷(２)の立上り片(22)(22)となる両端の方向を合わせて、中敷(２)を箱本体(１)内へ押し込む。
中敷(２)の両端側が、箱本体(１)の側壁(13)(13)上端及び繋ぎ用フラップ(14)に当たって、断続的な切込み(24)部分で自動的に上向きに折れ曲がる。
中敷(２)の掛り片(23)(23)は、繋ぎ用フラップ(14)に擦れながら少し撓んだ状態で下降する。
図５に示す如く、中敷本体部(21)が箱本体(１)の底壁(11)に接して被さった状態で、掛り片(23)は、繋ぎ用フラップ(14)下端縁(14a)と側壁(13)によって生じる凹み段差(10)に嵌まる。
この状態で、中敷(２)の両掛り片(23)(23)は箱の側壁(13)(13)を突っ張った状態に当接している。
【００２４】
然して、箱本体(１)内面に露出した側壁(13)(14)接続用のコ字状針(４)の折曲げ部(41)(41)は、中敷(２)の立上り片(22)に隠れるから、箱内の商品をコ字状針(４)の折曲げ部(41)(41)で傷付ける虞れはない。
箱から商品を取り出す際に、箱本体(１)を逆さにしても、中敷(２)の掛り片(23)(23)が側壁(13)(13)内面に重なっている繋ぎ用フラップ(14)(14)に引っ掛かって、中敷(２)の脱出は防止される。
【００２５】
中敷(２)の両掛り片(23)(23)が箱本体(１)の対向する側壁(13)(13)を突っ張る様に当接しているから、中敷(２)が箱本体(１)内でガタつくことはなく、安定して納まる。
又、中敷(２)の突っ張りだけでも、中敷(２)の脱出防止の効果があり、上記した中敷脱出防止効果に加えて、２重の脱出防止効果を奏する。
【００２６】
展開状態の中敷(２)を、箱本体(１)の開口の上方に位置させて、中敷(２)を箱内へ押し込むだけで、箱本体(１)に中敷(２)を簡単にセットできる。
【図面の簡単な説明】
【００２７】
【図１】蓋体を外した状態の箱の斜視図である。
【図２】中敷の一方の立上り片を内側に倒した状態の箱本体の斜視図である。
【図３】展開した中敷と箱本体の斜視図である。
【図４】中敷の斜視図である。
【図５】中敷の掛り片と箱本体の係合状態を示す断面図である。
【符号の説明】
【００２８】
１  箱本体
10  凹み段差
11  底壁
13  側壁
14  繋ぎ用フラップ
２  中敷
21  中敷本体部
22  立上り片
23  掛り片
24  断続的な切込み
【図１】
0003141887.tif 000003
【図２】
0003141887.tif 000004
【図３】
0003141887.tif 000005
【図４】
0003141887.tif 000006
【図５】
0003141887.tif 000007